(57)【要約】      （修正有）【課題】画像処理装置に対して実行指示を行う際のユーザの手間を軽減することができる携帯端末を提供する。【解決手段】近距離無線通信を行う画像処理装置を検知し、ユーザによる実行指示に応じて画像処理装置をリモート操作する携帯端末であって、携帯端末における表示制御を行う表示制御手段を備える。表示制御手段は、ユーザによる所定の解除操作を必要とするロック画面を表示中に、実行指示を行うための実行指示手段を操作部２０４に表示させる。【選択図】図６
2018197918.tif 000002
【特許請求の範囲】
【請求項１】
近距離無線通信を行う画像処理装置を検知し、ユーザによる実行指示に応じて前記画像処理装置をリモート操作する携帯端末であって、
前記携帯端末における表示制御を行う表示制御手段を備え、
前記表示制御手段は、前記携帯端末において、前記ユーザによる所定の解除操作を必要とするロック画面を表示中に前記実行指示を行うための実行指示手段を表示させることを特徴とする携帯端末。
【請求項２】
前記実行指示手段は、前記携帯端末から前記画像処理装置にログインするためのログイン指示を行う操作ボタンであることを特徴とする請求項１記載の携帯端末。
【請求項３】
前記実行指示手段は、前記画像処理装置に留め置きされた印刷データの印刷の実行を指示する操作ボタンであることを特徴とする請求項１又は２記載の携帯端末。
【請求項４】
前記表示制御手段は、前記ユーザによる入力操作が制限されないノーティフィケーション機能によって前記実行指示手段を表示させることを特徴とする請求項１乃至３のいずれか１項に記載の携帯端末。
【請求項５】
近距離無線通信を行う画像処理装置を検知し、ユーザによる実行指示に応じて前記画像処理装置をリモート操作する携帯端末の制御方法であって、
前記携帯端末における表示制御を行う表示制御ステップを有し、
前記表示制御ステップは、前記携帯端末において、前記ユーザによる所定の解除操作を必要とするロック画面を表示中に前記実行指示を行うための実行指示手段を表示させることを特徴とする携帯端末の制御方法。
【請求項６】
近距離無線通信を行う画像処理装置を検知し、ユーザによる実行指示に応じて前記画像処理装置をリモート操作する携帯端末の制御方法をコンピュータに実行させるプログラムであって、
前記携帯端末の制御方法は、
前記携帯端末における表示制御を行う表示制御ステップを有し、
前記表示制御ステップは、前記携帯端末において、前記ユーザによる所定の解除操作を必要とするロック画面を表示中に前記実行指示を行うための実行指示手段を表示させることを特徴とするプログラム。
【発明の詳細な説明】
【技術分野】
【０００１】
本発明は、携帯端末及びその制御方法、並びにプログラムに関し、特に、近距離無線通信を行う携帯端末及びその制御方法、並びにプログラムに関する。
【背景技術】
【０００２】
ＭＦＰのリモート操作を行う携帯端末が知られている。携帯端末は、ＭＦＰのリモート操作を行うためのリモート操作画面を表示し、ユーザのリモート操作画面の操作により、ＭＦＰに各処理を実行させる指示を受け付ける。ユーザはリモート操作画面を操作して、ＭＦＰにログインするためのログイン指示や、ＭＦＰに印刷を実行させるための印刷指示等を行う。携帯端末は、例えば、ユーザによる印刷指示を受け付けると、通信先となるＭＦＰ（以下、「通信先ＭＦＰ」という。）を検知し、検知した通信先ＭＦＰにログインするためのユーザ情報を近距離無線通信によって通信先ＭＦＰに送信する。通信先ＭＦＰは取得したユーザ情報に基づいてログイン処理を行い、上記ユーザ情報に対応付けされた印刷データの印刷を行う（例えば、特許文献１参照）。
【０００３】
ところで、携帯端末では、予め設定された所定の条件を満たすと、携帯端末における表示がリモート操作画面から、ユーザによる入力操作が制限されるロック画面に切り替わる。ユーザは、ロック画面を操作するだけでは通信先ＭＦＰに対して実行指示を実施不可能であるが、ロック画面が解除され、携帯端末の表示がロック画面からリモート操作画面に切り替わると、ユーザはリモート操作画面によって実行指示を実施可能となる。
【先行技術文献】
【特許文献】
【０００４】
【特許文献１】特開２０１６−０５８０７２号公報
【発明の概要】
【発明が解決しようとする課題】
【０００５】
しかしながら、従来の携帯端末では、ロック画面が表示された状態でユーザが通信先ＭＦＰに対して実行指示を行う際に、ロック画面を解除するための所定のロック解除操作をユーザが行う必要があり、手間が生じる。
【０００６】
本発明の目的は、画像処理装置に対して実行指示を行う際のユーザの手間を軽減することができる携帯端末及びその制御方法、並びにプログラムを提供することにある。
【課題を解決するための手段】
【０００７】
上記目的を達成するために、本発明の携帯端末は、近距離無線通信を行う画像処理装置を検知し、ユーザによる実行指示に応じて前記画像処理装置をリモート操作する携帯端末であって、前記携帯端末における表示制御を行う表示制御手段を備え、前記表示制御手段は、前記ユーザによる所定の解除操作を必要とするロック画面を表示中に前記実行指示を行うための実行指示手段を表示させることを特徴とする。
【発明の効果】
【０００８】
本発明によれば、画像処理装置に対して実行指示を行う際のユーザの手間を軽減することができる。
【図面の簡単な説明】
【０００９】
【図１】本発明の実施の形態に係る携帯端末を含むリモート操作システムの構成を概略的に示すブロック図である。
【図２】図１の携帯端末及びＭＦＰの各ハードウェアの構成を概略的に示すブロック図である。
【図３】図１の携帯端末のソフトウェアモジュールの構成を概略的に示すブロック図である。
【図４】図２の操作部に表示される画面の一例を示す図である。
【図５】図１の携帯端末によって実行される通知処理の手順を示すフローチャートである。
【図６】図２の操作部に表示される画面の一例を示す図である。
【図７】図１の携帯端末によって実行されるログイン制御処理の手順を示すフローチャートである。
【発明を実施するための形態】
【００１０】
以下、本発明の実施の形態を図面を参照しながら詳述する。
【００１１】
図１は、本発明の実施の形態に係る携帯端末１０１を含むリモート操作システム１００の構成を概略的に示すブロック図である。
【００１２】
図１において、リモート操作システム１００は携帯端末１０１及び画像処理装置としてのＭＦＰ１０２を備える。
【００１３】
リモート操作システム１００では、ユーザは携帯端末１０１を用いてＭＦＰ１０２をリモート操作可能である。携帯端末１０１はスマートフォンやタブレット端末等のユーザが持ち運び可能な通信装置であり、近距離無線通信を行う。近距離無線通信は、具体的に、Ｂｌｕｅｔｏｏｔｈ(登録商標)規格による無線通信（以下、「Ｂｌｕｅｔｏｏｔｈ通信」という。）である。例えば、携帯端末１０１はＢｌｕｅｔｏｏｔｈ通信可能なＭＦＰを検知すると、検知したＭＦＰにログインするためのユーザＩＤやパスワード等のユーザ情報を上記検知したＭＦＰに送信する。上記ユーザ情報は携帯端末１０１に予め格納されている。また、携帯端末１０１はＬＡＮ１０４に接続された図示しない外部装置と無線ルータ１０３を介して、近距離無線通信より通信範囲が広く且つ高速通信可能な無線ＬＡＮ通信を行う。さらに、携帯端末１０１は、ユーザの指示に基づいてユーザが所望する機能を実現するためのアプリケーションモジュール（以下、単に「アプリ」という。）を追加でインストール可能である。本実施の形態では、一例として、携帯端末１０１からＭＦＰ１０２等の近距離無線通信可能なＭＦＰをリモート操作するための後述する図３のＭＦＰアプリ３０５（リモート制御アプリケーション）が携帯端末１０１に既にインストールされていることを前提とする。ＭＦＰ１０２は図示しない原稿台に配置された原稿を読み取るスキャン処理を実行する。また、ＭＦＰ１０２は、取得した印刷データに基づいて印刷を行う印刷処理や、取得した印刷データを即座に実行せずに留め置き、留め置きされた印刷データの印刷をユーザの実行指示に基づいて行う留め置き印刷処理等を実行する。さらに、ＭＦＰ１０２は携帯端末１０１等と近距離無線通信や無線ＬＡＮ通信を行い、ＬＡＮ１０４に接続された図示しない外部装置と有線ＬＡＮ通信を行う。
【００１４】
図２は、図１の携帯端末１０１及びＭＦＰ１０２の各ハードウェアの構成を概略的に示すブロック図である。
【００１５】
まず、携帯端末１０１のハードウェアの構成について説明する。図２において、携帯端末１０１は、ＣＰＵ２０１、ＲＡＭ２０２、フラッシュメモリ２０３、操作部２０４、ＢｌｕｅｔｏｏｔｈＩ／Ｆ２０５、スピーカ２０６、及びマイク２０７を備える。また、携帯端末１０１は、カメラ２０８、ＧＰＳ（Global Positioning System）受信機２０９、及び無線ネットワークＩ／Ｆ２１０を備える。ＣＰＵ２０１、ＲＡＭ２０２、フラッシュメモリ２０３、操作部２０４、ＢｌｕｅｔｏｏｔｈＩ／Ｆ２０５、スピーカ２０６、マイク２０７、カメラ２０８、ＧＰＳ受信機２０９、及び無線ネットワークＩ／Ｆ２１０はシステムバス２１１を介して互いに接続されている。
【００１６】
ＣＰＵ２０１は、フラッシュメモリ２０３に格納されたプログラムを実行して後述する図３のソフトウェアモジュール３００の制御を行う。ＲＡＭ２０２は揮発性のメモリであり、ＣＰＵ２０１の主メモリとして、また、各データの一時格納領域として用いられる。フラッシュメモリ２０３は不揮発性のメモリであり、ＣＰＵ２０１によって実行されるプログラムや各データを格納する。操作部２０４はユーザによるタッチ操作を検知可能なタッチパネル式の図示しないディスプレイを備える。ＢｌｕｅｔｏｏｔｈＩ／Ｆ２０５は、Ｂｌｕｅｔｏｏｔｈ通信を行うためのインタフェースであり、Ｂｌｕｅｔｏｏｔｈ通信可能な外部装置、例えば、ＭＦＰ１０２とＢｌｕｅｔｏｏｔｈ通信を行う。スピーカ２０６は取得した音声信号に基づいて音声を出力する。マイク２０７は検知した音声を音声信号に変換する。カメラ２０８はユーザの指示に応じて静止画や動画を撮影する。ＧＰＳ受信機２０９は携帯端末１０１の現在位置を測定する。無線ネットワークＩ／Ｆ２１０は無線ルータ１０３等を介して無線ＬＡＮ通信を行うＮＩＣ（Network Interface Card）である。
【００１７】
次に、ＭＦＰ１０２のハードウェアの構成について説明する。図２において、ＭＦＰ１０２は、ＣＰＵ２１２、ＲＯＭ２１３、ＲＡＭ２１４、ＨＤＤ２１５、操作部２１６、プリンタ２１７、スキャナ２１８、ＩＣカードリーダ２１９、ＢｌｕｅｔｏｏｔｈＩ／Ｆ２２０、及びネットワークＩ／Ｆ２２１を備える。ＣＰＵ２１２、ＲＯＭ２１３、ＲＡＭ２１４、ＨＤＤ２１５、操作部２１６、プリンタ２１７、スキャナ２１８、ＩＣカードリーダ２１９、ＢｌｕｅｔｏｏｔｈＩ／Ｆ２２０、及びネットワークＩ／Ｆ２２１はシステムバス２２２を介して互いに接続されている。
【００１８】
ＣＰＵ２１２はＭＦＰ１０２全体を統括的に制御する。ＲＯＭ２１３はＣＰＵ２１２によって実行されるプログラムを格納する。ＲＡＭ２１４は揮発性のメモリであり、ＣＰＵ２１２の主メモリとして、また、各データの一時格納領域として用いられる。ＨＤＤ２１５はプログラムや画像データ等を格納する。操作部２１６はユーザによるタッチ操作を検知可能なタッチパネル式の図示しないディスプレイや、複数の操作キーを備える。プリンタ２１７は取得した印刷データに基づいて用紙に印刷を行う。スキャナ２１８は図示しない原稿台に配置された原稿を読み取り、読み取った情報に基づいて画像データを生成する。ＩＣカードリーダ２１９は図示しないＩＣカードからユーザ認証に用いられる認証情報等を読み取る。ＢｌｕｅｔｏｏｔｈＩ／Ｆ２２０はＢｌｕｅｔｏｏｔｈ通信を行うためのインタフェースであり、Ｂｌｕｅｔｏｏｔｈ通信可能な外部装置、例えば、携帯端末１０１とＢｌｕｅｔｏｏｔｈ通信を行う。ネットワークＩ／Ｆ２２１はＬＡＮ１０４に接続された図示しない外部装置とデータ通信を行うためのＮＩＣである。
【００１９】
図３は、図１の携帯端末１０１のソフトウェアモジュール３００の構成を概略的に示すブロック図である。
【００２０】
図３において、ソフトウェアモジュール３００はＯＳモジュール３０１及びＭＦＰアプリ３０５を備える。ＯＳモジュール３０１は、Ｂｌｕｅｔｏｏｔｈ制御モジュール３０２、無線ネットワーク制御モジュール３０３、及びアプリ通知制御モジュール３０４を備える。ＭＦＰアプリ３０５は、通知表示モジュール３０６、認証制御モジュール３０７、及び画面表示モジュール３０８を備える。ソフトウェアモジュール３００の処理は、ＣＰＵ２０１がフラッシュメモリ２０３に格納されたプログラムを実行することによって行われる。
【００２１】
ＯＳモジュール３０１は、携帯端末１０１に予め組み込まれており、携帯端末１０１全体の動作を制御する。ＯＳモジュール３０１はＭＦＰアプリ３０５等の各アプリから受け付けた指示に基づいて上記アプリの各設定を行うための設定画面等を操作部２０４に表示する。また、ＯＳモジュール３０１は、携帯端末１０１の各ハードウェアを制御するためのデバイスドライバ群を備え、ＯＳモジュール３０１上で動作するアプリに対して各ハードウェアを利用するためのＡＰＩを提供する。本実施の形態では、デバイスドライバ群は、具体的に、Ｂｌｕｅｔｏｏｔｈ制御モジュール３０２及び無線ネットワーク制御モジュール３０３である。Ｂｌｕｅｔｏｏｔｈ制御モジュール３０２はＢｌｕｅｔｏｏｔｈＩ／Ｆ２０５を制御し、無線ネットワーク制御モジュール３０３は無線ネットワークＩ／Ｆ２１０を制御する。アプリ通知制御モジュール３０４は予め登録された通知条件を満たした際にアプリに対してイベント通知を行う。本実施の形態では、例えば、Ｂｌｕｅｔｏｏｔｈ通信の電波を受信した際にアプリ通知制御モジュール３０４はＭＦＰアプリ３０５にイベント通知を行う。
【００２２】
ＭＦＰアプリ３０５はユーザによって携帯端末１０１にインストールされたアプリであり、ＭＦＰ１０２等のリモート操作を行うための各処理を制御する。ＭＦＰアプリ３０５はアプリ通知制御モジュール３０４から上記イベント通知を受信した際に上記電波を発信したＭＦＰへログインするか否かを確認するメッセージを操作部２０４に表示する。以下では、上記メッセージを操作部２０４に表示することを「ログイン通知」とする。また、ＭＦＰアプリ３０５は、受信したＢｌｕｅｔｏｏｔｈ通信の電波の送信先のＭＦＰに対し、予め登録されたユーザ情報を送信する。
【００２３】
通知表示モジュール３０６はログイン通知の表示制御を行う。認証制御モジュール３０７は携帯端末１０１が受信したＢｌｕｅｔｏｏｔｈ通信の電波の送信先のＭＦＰに対し、該ＭＦＰにログインするためのユーザ情報を含むログイン要求を送信する。画面表示モジュール３０８は、ＭＦＰアプリ３０５の各設定を行う図４（ａ）のリモートトップ画面４０１の表示制御を行う。
【００２４】
リモートトップ画面４０１は携帯端末１０１においてＭＦＰアプリ３０５がフォアグランドスレッドで動作中に操作部２０４に表示される。リモートトップ画面４０１は、ＭＦＰ情報表示欄４０２、ユーザ情報ボタン４０３、リモートＵＩボタン４０４、プリントボタン４０５、及びメンテナンスボタン４０６を備える。ＭＦＰ情報表示欄４０２にはユーザによって選択されたＭＦＰ（以下、「選択ＭＦＰ」という。）の機種名や外形情報等が表示される。ユーザ情報ボタン４０３は選択ＭＦＰにログインするためのユーザ情報を設定する操作ボタンである。ユーザによってユーザ情報ボタン４０３が選択されると、操作部２０４にはユーザ情報を設定するための図４（ｂ）のユーザ情報設定画面４０７が表示される。ユーザ情報設定画面４０７は、ユーザ名設定欄４０８、パスワード設定欄４０９、切り替えスイッチ４１０、及びＯＫボタン４１１を備える。ユーザ情報設定画面４０７において、ユーザ名設定欄４０８にユーザ名、パスワード設定欄４０９にパスワードがそれぞれ入力され、且つＯＫボタン４１１が選択されると、ユーザ名設定欄４０８及びパスワード設定欄４０９に入力された情報がユーザ情報として登録される。また、ユーザ情報設定画面４０７において、ユーザは切り替えスイッチ４１０を操作して、ログイン通知を行うか否かを設定可能である。具体的に、切り替えスイッチ４１０が「オン」に設定されると、ログイン通知を行う旨が設定され、切り替えスイッチ４１０が「オフ」に設定されると、ログイン通知を行わない旨が設定される。ユーザ情報設定画面４０７において設定された各設定情報はフラッシュメモリ２０３に割り当てられた図示しない認証情報格納領域に格納される。
【００２５】
図４（ａ）に戻り、リモートＵＩボタン４０４は選択ＭＦＰをリモート操作するための操作ボタンである。ユーザによってリモートＵＩボタン４０４が選択されると、ウェブブラウザが起動して選択ＭＦＰをリモート操作するための図示しないリモート操作画面が操作部２０４に表示される。プリントボタン４０５は選択ＭＦＰに印刷指示を行うための操作ボタンである。メンテナンスボタン４０６は選択ＭＦＰのメンテナンス画面を操作部２０４に表示するための操作ボタンである。
【００２６】
図５は、図１の携帯端末１０１によって実行される通知処理の手順を示すフローチャートである。
【００２７】
図５の処理は、携帯端末１０１のＣＰＵ２０１がフラッシュメモリ２０３に格納されたプログラムを実行することによって行われ、ＭＦＰアプリ３０５が起動した際に実行される。
【００２８】
図５において、まず、ＣＰＵ２０１は外部装置、例えば、ＭＦＰ１０２からＢｌｕｅｔｏｏｔｈ通信を行うためのアドバタイジングパケットを受信すると（ステップＳ５０１）、Ｂｌｕｅｔｏｏｔｈ制御モジュール３０２からアプリ通知制御モジュール３０４に上記アドバタイジングパケットを受信した旨を通知する（ステップＳ５０２）。アドバタイジングパケットは、該アドバタイジングパケットを発信したＭＦＰ１０２の名称や機能を示すデバイス情報、及びアドバタイジングパケットの出力強度を示す電波強度値等を含む。次いで、ＣＰＵ２０１はユーザ情報設定画面４０７における切り替えスイッチ４１０の設定情報を取得する（ステップＳ５０３）。切り替えスイッチ４１０の設定情報は、ログイン通知を行う旨を示す「オン」及びログイン通知を行わない旨を示す「オフ」のいずれかの情報である。ＣＰＵ２０１は取得した切り替えスイッチ４１０の設定情報が「オン」であるか否かを判別する（ステップＳ５０４）。
【００２９】
ステップＳ５０４の判別の結果、取得した切り替えスイッチ４１０の設定情報が「オフ」であるとき、ＣＰＵ２０１は本処理を終了する。一方、ステップＳ５０４の判別の結果、取得した切り替えスイッチ４１０の設定情報が「オン」であるとき、ＣＰＵ２０１は受信したアドバタイジングパケットに含まれる電波強度値を取得する（ステップＳ５０５）。次いで、ＣＰＵ２０１は取得した電波強度値が予め設定された所定の閾値以上であるか否かを判別する（ステップＳ５０６）。所定の閾値として、例えば、−７０ｄＢｍ程度の電波強度値が設定される。
【００３０】
ステップ５０６の判別の結果、取得した電波強度値が所定の閾値より小さいとき、ＣＰＵ２０１はログイン通知を行わずに、本処理を終了する。一方、ステップ５０６の判別の結果、取得した電波強度値が所定の閾値以上であるとき、ＣＰＵ２０１はＭＦＰアプリ３０５がフォアグランドスレッドで動作しているか否かを判別する（ステップＳ５０７）。本実施の形態では、ＭＦＰアプリ３０５がフォアグランドスレッドで動作している場合、操作部２０４にはリモートトップ画面４０１が表示される。このとき、ユーザはリモートトップ画面４０１によってＭＦＰ１０２に対して各処理の実行指示を実施可能である。一方、ＭＦＰアプリ３０５がフォアグランドスレッドで動作中に予め設定された所定のスリープ条件等を満たした場合、ＭＦＰアプリ３０５がフォアグランドスレッドの動作からバックグランドスレッドの動作に切り替わる。また、操作部２０４には、リモートトップ画面４０１ではなく、ユーザによる入力操作が制限されるロック画面（例えば、後述する図６（ｂ）参照）が表示される。このとき、ユーザは、操作部２０４にリモートトップ画面４０１が表示されていないので、ＭＦＰ１０２に対して各処理の実行指示を実施不可能である。
【００３１】
ステップＳ５０７の判別の結果、ＭＦＰアプリ３０５がフォアグランドスレッドで動作しているとき、ＣＰＵ２０１は、図６（ａ）に示すように、リモートトップ画面４０１上にダイアログ６０１によるログイン通知を行う（ステップＳ５０８）。ダイアログ６０１には、ＭＦＰ１０２へのログインの実行を指示するＯＫボタン６０２が含まれる。その後、ＯＳモジュール３０１は本処理を終了する。
【００３２】
ステップＳ５０７の判別の結果、ＭＦＰアプリ３０５がフォアグランドスレッドで動作していないとき、ＣＰＵ２０１はノーティフィケーション機能によるログイン通知を行う（ステップＳ５０９）。ＣＰＵ２０１はノーティフィケーション機能により、ＭＦＰアプリ３０５をバックグランドで実行させたままメッセージを出力可能である。ノーティフィケーション機能によるログイン通知では、例えば、図６（ｂ）に示すように、ロック画面６０８上に、ＭＦＰ１０２へのログインの実行を確認するメッセージを含む表示領域６０３が表示される。ノーティフィケーション機能によるログイン通知は、操作部２０４にロック画面６０８が表示されていても、ユーザによる入力操作が制限されず、ユーザによって表示領域６０３がタッチ操作されると、操作部２０４にはロック画面６０８を解除するための図６（ｃ）のロック解除画面６０４が表示される。その後、ＯＳモジュール３０１は本処理を終了する。
【００３３】
ここで、従来の携帯端末では、ロック画面６０８が表示された状態でユーザがＭＦＰ１０２に対して実行指示を行う際に、ユーザがロック画面６０８を解除するための所定のロック解除操作をロック解除画面６０４に対して行う必要があり、手間が生じる。
【００３４】
これに対応して、本実施の形態では、ロック画面６０８を表示中にＭＦＰ１０２に対して実行指示を行う実行指示ボタンを操作部２０４に表示させる。
【００３５】
図７は、図１の携帯端末１０１によって実行されるログイン制御処理の手順を示すフローチャートである。
【００３６】
図７の処理は、携帯端末１０１のＣＰＵ２０１がフラッシュメモリ２０３に格納されたプログラムを実行することによって行われる。また、図７の処理は、ＭＦＰアプリ３０５がバックグランドスレッドで動作し、ステップＳ５０９の処理によってノーティフィケーション機能によるログイン通知が行われた際に実行される。
【００３７】
図７において、まず、ユーザによって操作部２０４が操作されると、ＣＰＵ２０１は、操作内容を示す操作イベント通知をＯＳモジュール３０１からＭＦＰアプリ３０５に出力する（ステップＳ７０１）。本実施の形態では、操作部２０４に表示された表示領域６０３にユーザが左スワイプ操作等の所定の操作を行うと、図６（ｄ）のログインボタン６０５（実行指示ボタン）及び中止ボタン６０６が操作部２０４に表示される。ログインボタン６０５はＭＦＰ１０２へのログインの実行指示を行う操作ボタンである。中止ボタン６０６は表示領域６０３の消去指示を行う操作ボタンである。また、本実施の形態では、ログインボタン６０５及び中止ボタン６０６の他に、図６（ｅ）に示すように、印刷ボタン６０７が操作部２０４に表示されても良い。印刷ボタン６０７は、ＭＦＰ１０２に留め置きされた印刷データの印刷の実行指示を行う操作ボタンである。ステップＳ７０１では、ＣＰＵ２０１は、表示領域６０３のタッチ操作、ログインボタン６０５のタッチ操作、及び中止ボタン６０６のタッチ操作のいずれかを示す操作イベント通知をＯＳモジュール３０１からＭＦＰアプリ３０５に出力する。次いで、ＣＰＵ２０１は上記操作イベント通知が中止ボタン６０６のタッチ操作を示すか否かを判別する（ステップＳ７０２）。
【００３８】
ステップＳ７０２の判別の結果、上記操作イベント通知が中止ボタン６０６のタッチ操作を示すとき、ＣＰＵ２０１は後述するステップＳ７１３以降の処理を行う。一方、ステップＳ７０２の判別の結果、上記操作イベント通知が中止ボタン６０６のタッチ操作を示さないとき、ＣＰＵ２０１は上記操作イベント通知が表示領域６０３のタッチ操作を示すか否かを判別する（ステップＳ７０３）。
【００３９】
ステップＳ７０３の判別の結果、上記操作イベント通知が表示領域６０３のタッチ操作を示すとき、ＣＰＵ２０１は操作部２０４にロック画面６０８が表示されているか否かを判別する（ステップＳ７０４）。
【００４０】
ステップＳ７０４の判別の結果、ロック画面６０８が表示されているとき、ＣＰＵ２０１はロック解除画面６０４を操作部２０４に表示する（ステップＳ７０５）。ＣＰＵ２０１は、ロック解除画面６０４においてユーザによる所定のロック解除操作を受け付けると、ステップＳ７０６の処理を行う。
【００４１】
ステップＳ７０４の判別の結果、ロック画面６０８が表示されていないとき、ＣＰＵ２０１はＭＦＰアプリ３０５をフォアグランドスレッドの動作に切り替える（ステップＳ７０６）。次いで、ＣＰＵ２０１はリモートトップ画面４０１を操作部２０４に表示し（ステップＳ７０７）、ステップＳ７０８の処理を行う。
【００４２】
ステップＳ７０３の判別の結果、取得した操作イベント通知が表示領域６０３のタッチ操作ではなく、ログインボタン６０５のタッチ操作を示すとき、ＣＰＵ２０１は予め登録されたユーザ情報を取得する（ステップＳ７０８）。次いで、ＣＰＵ２０１は、Ｂｌｕｅｔｏｏｔｈ通信により、ＭＦＰ１０２に無線ＬＡＮ通信の接続要求を送信し（ステップＳ７０９）、また、ＭＦＰ１０２にユーザ情報を含む認証要求を送信する（ステップＳ７１０）。次いで、ＣＰＵ２０１は認証要求の成否を示す応答通知をＭＦＰ１０２から取得すると、取得した応答通知が認証を成功した旨を示すか否かを判別する（ステップＳ７１１）。
【００４３】
ステップＳ７１１の判別の結果、取得した応答通知が認証を成功した旨を示すとき、ＣＰＵ２０１はＭＦＰアプリ３０５をＭＦＰ１０２にログインした状態に移行させる（ステップＳ７１２）。これにより、ユーザは携帯端末１０１からＭＦＰ１０２をリモート操作可能となる。次いで、ＣＰＵ２０１はログイン通知を消去し（ステップＳ７１３）、本処理を終了する。
【００４４】
ステップＳ７１１の判別の結果、取得した応答通知が認証を失敗した旨を示すとき、ＣＰＵ２０１はステップＳ７１３以降の処理を行う。
【００４５】
上述した本実施の形態によれば、ロック画面６０８を表示中にＭＦＰ１０２に対して実行指示を行うための実行指示ボタンを操作部２０４に表示させる。すなわち、ＭＦＰ１０２に対して実行指示を行う際にロック画面６０８を解除する必要が無い。これにより、ロック画面６０８を解除するための所定のロック解除操作を行う必要を無くすことができ、もって、ＭＦＰ１０２に対して実行指示を行う際のユーザの手間を軽減することができる。
【００４６】
また、上述した本実施の形態では、実行指示ボタンは、携帯端末１０１からＭＦＰ１０２にログインするためのログイン指示を行うログインボタン６０５である。これにより、携帯端末１０１からＭＦＰ１０２にログインする際のユーザの手間を軽減することができる。
【００４７】
さらに、上述した本実施の形態では、実行指示ボタンは、ＭＦＰ１０２に留め置きされた印刷データの印刷の実行を指示する印刷ボタン６０７である。これにより、ＭＦＰ１０２に留め置きされた印刷データの印刷を行う際にユーザの手間を軽減することができる。
【００４８】
上述した本実施の形態では、ユーザによる入力操作が制限されないノーティフィケーション機能によって実行指示ボタンが表示される。これにより、ロック画面６０８を表示していても、ユーザによる実行指示ボタンの操作に対応する実行指示を受け付けることができる。
【００４９】
本発明は、上述の実施の形態の１以上の機能を実現するプログラムをネットワーク又は記憶媒体を介してシステム又は装置に供給し、該システム又は装置のコンピュータにおける１つ以上のプロセッサがプログラムを読み出して実行する処理でも実現可能である。また、本発明は、１以上の機能を実現する回路（例えば、ＡＳＩＣ）によっても実現可能である。
【符号の説明】
【００５０】
１０１  携帯端末
１０２  ＭＦＰ
２０１  ＣＰＵ
２０４  操作部
３０５  ＭＦＰアプリ
６０５  ログインボタン
６０７  印刷ボタン
【図１】
2018197918.tif 000003
【図２】
2018197918.tif 000004
【図３】
2018197918.tif 000005
【図４】
2018197918.tif 000006
【図５】
2018197918.tif 000007
【図６】
2018197918.tif 000008
【図７】
2018197918.tif 000009